(57)【要約】【課題】  アコーデオン扉や引戸等、水平方向に移動する扉に好適な操作機構を提供する。【解決手段】  扉面に装着されたケース１内において、鉛直方向に延在すると共に同方向に移動可能に案内されたラック３と、ケース１内において、扉面に平行な平面内で回動可能に案内されると共に、ラック３と噛み合い係合をするピニオン８と、扉面に垂直な方向に延在する異形断面の杆体で、一端をピニオン８に同軸かつ一体的に結合したハンドル軸１１と、ケース外において鉛直方向に延在すると共に、ケース外面から離間した握り部１２ａを備え、一端をラック３に連結したハンドル１２とを有し、ハンドル１２を握って上下方向にスライドさせる。【選択図】  図１
2006144353.tif 000002
【特許請求の範囲】
【請求項１】
扉面に装着されたケース内において、鉛直方向に延在すると共に同方向に移動可能に案内されたラックと、ケース内において、扉面に平行な平面内で回動可能に案内されると共に、ラックと噛み合い係合をするピニオンと、扉面に垂直な方向に延在する異形断面の杆体で、一端をピニオンに同軸かつ一体的に結合したハンドル軸と、ケース外において鉛直方向に延在すると共に、ケース外面から離間した握り部を備え、一端をラックに連結したハンドルとを有し、ハンドルを握って上下方向にスライドさせることによりハンドル軸を回動させるようにしたことを特徴とする錠箱の操作機構。
【発明の詳細な説明】
【技術分野】
【０００１】
この発明は、扉の内外面に装着される錠箱の操作機構（以下単に操作機構という）に係り、特に、アコーデオン扉や引戸等、水平方向に移動する扉に好適な操作機構に関する。
【背景技術】
【０００２】
操作機構は、後記特許文献１に記載されているように、通常、扉及び扉の自由側端縁付近に埋設された錠箱を貫通する角軸、及び角軸の扉内、外面に突出した端部に装着されたノブ或いはハンドルよりなる。
【０００３】
この場合、角軸の錠箱内に延在する部分に例えばラッチボルト操作部材を結合し、ノブ又はハンドルを操作して角軸を回転させることによりラッチボルトの出し入れを制御する。
【０００４】
また、近年後記特許文献２に記載されているようなハンドル装置が提案され、実用され始めた。
【０００５】
このハンドル装置は、扉の自由側端縁付近において鉛直方向に延在するハンドルを押し引きすることにより錠箱内のラッチ部材を制御するものである。
【特許文献１】特開平８−０１３８６０号公報
【特許文献１】特開平９−３０３００２号公報
【発明の開示】
【発明が解決しようとする課題】
【０００６】
上記した構造の従来の操作機構は、ハンドルやノブを回した状態でこれらを押し引きすることにより扉を開けることができ、また、ハンドルを押し引きすることによりラッチの解除と扉の開閉操作を同一の操作でできるので、回転扉に適用されたとき人間工学的に見て操作し易い。
【０００７】
しかしながら、引戸やアコーデオン扉等に適用する場合には、ラッチの解除やラッチボルトを引っ込める操作方向と扉を開ける方向が異なるので、必ずしも操作し易いとは言えない。
【０００８】
また、特にアコーデオン扉の場合には、扉の厚さ方向は勿論、左右方向の剛性が低いので、例えば前記特許文献１に記載のノブやハンドルでラッチを制御してもラッチボルトが有効に機能しない。
【０００９】
また、前記特許文献２に記載されたハンドル装置を採用した場合、アコーデオン扉が動いてしまってラッチの解除がそもそも不可能になる、等種々の不都合が生じる。
【００１０】
また、ラッチを解除した後引戸を開け、或いはアコーデオン扉をスライドさせる操作も円滑ではなくなる。
【００１１】
そこで、この発明は、アコーデオン扉等の剛性が小さい扉に好適で、引戸やアコーデオン扉の開閉も円滑に行うことができる操作機構を提供することを目的としている。
【課題を解決するための手段】
【００１２】
上記の目的を達成するため、請求項１に記載の発明は、扉面に装着されたケース内において、鉛直方向に延在すると共に同方向に移動可能に案内されたラックと、ケース内において、扉面に平行な平面内で回動可能に案内されると共に、ラックと噛み合い係合をするピニオンと、扉面に垂直な方向に延在する異形断面の杆体で、一端をピニオンに同軸かつ一体的に結合したハンドル軸と、ケース外において鉛直方向に延在すると共に、ケース外面から離間した握り部を備え、一端をラックに連結したハンドルとを有し、ハンドルを握って上下方向にスライドさせることによりハンドル軸を回動させるようにしたことを特徴とする。
【発明の効果】
【００１３】
上記のように構成された請求項１に記載の発明による操作機構は、ハンドルの握り部を握ってこれを上下動させることによりラッチを解除し、或いは鈎形のカマを相手方の框に振り入れ或いは引抜くので、アコーデオンカーテンの場合でも框の上下方向の剛性が高いことと相俟て、人間工学的に見てラッチ解除操作が容易になる。
【００１４】
また、ハンドルがその侭引戸やアコーデオンカーテンの引き手になるので、扉の開閉操作も容易になり、特に、ラッチの解除に続く扉の開閉操作が円滑に接続され、使い勝手が向上する、等種々の効果を奏する。
【発明を実施するための最良の形態】
【００１５】
作動時直線方向に移動するラックをハンドルに一体に連結し、その直線方向の移動をピニオンを介してハンドル軸に伝達し、これを回動させるようにしたので、操作機構の操作性、円滑性及び伝達効率を向上させることができた。
【実施例１】
【００１６】
以下、この発明の実施例を図面を参照して説明する。
図１及び図２において符号１はケースを示し、このケース１はアコーデオン扉の框２の表面に、例えばねじ止めにより装着される。
【００１７】
図示の実施例におけるケース１は、縦長で中空の箱状体で、内側に、縦長のラック、すなわち鉛直方向に延在して同方向に移動可能に案内されたラック３が収納されている。
【００１８】
図示の実施例におけるラック３は、図２に示すように、板材を断面コ字形に折曲げて構成されており、その袖板の一方（図３で右方）にはラック歯４が、他方には後述するピニオンと干渉しないように縦長のスリット５が開口している。
【００１９】
また、これはこの発明の必須の構成要素ではないが、ラック３はケース内に固定された仕切板６（図１及び図２参照）と一対の案内板７、７（図２参照）とに包囲された空間内に摺動可能に案内されている。
【００２０】
一方、上記ラック３が収納されている空間と同じ空間の中央部に、ラック３と噛み合い係合をするピニオン８が扉面に平行な平面内で回動可能に案内されている。
【００２１】
図示の実施例におけるピニオン８は、その一方（図１で左方）の段部をコ字形に折曲された支持枠９に、他方の段部を案内板７、７の一方の側端縁に形成された付番しないバーリング部に夫々回動可能に支承されている。
【００２２】
このピニオン８には、扉面に垂直な方向に延在する杆体で、横断面形状が方形のハンドル軸１１が同軸かつ一体的に結合されている。
【００２３】
このハンドル軸１１は、錠箱内の図示しないラッチ制御部材に開口した方形穴に嵌合することは前記した通りである。
【００２４】
他方、上記ラック３は次に述べるハンドル１２に連結されている。すなわち、図１に示すように、図示の実施例におけるハンドル１２は全体の形状が略逆Ｄ字形で、鉛直方向に延在すると共にケース１の外面から離間した握り部１２ａを備えている。
【００２５】
また、図１、図２及び図４に示すように、ハンドル１２の握り部１２ａと対向する鉛直部には大体の形状が縦長の厚板であるスライダ１３がねじ止めされており、このスライダ１３は、ケースの外板内側に形成された凹陥部１４（図４参照）に上下方向に摺動可能に嵌合している。
【００２６】
なお、図４に示すように、ケース１の外板には縦長の矩形のガイド孔１５が開口しており、このガイド孔１５にハンドル１２の突出段部１２ｂが上下方向に摺動可能に係合している。
【００２７】
そして、上記スライダ１３は、ハンドル１２との間にケースの外板を挟持する態様で、この突出段部１２ｂの内面にねじ止めされている。
【００２８】
また、ハンドル１２と前記ラック３とは、ラック３に植設され、スライダ１８を厚さ方向に貫通してハンドルの突出段部１２ｂと係合するスライダピン１６を介して、相互に一体的に連結されている。
【００２９】
なお、図３において符号１７は捩りコイルばねとしての公知の思案ばねを示し、この思案ばね１７はラック３の上下方向に移動に際し、ラック３にスナップアクション性を付与する。
【００３０】
上記のように構成されたこの発明の一実施例による操作機構は、図１及び３に示す解錠状態において、ハンドル１２の握り部１２ａを握って上方に押上げると、図５及び図６に示すように、ハンドル１２の上昇に伴ってラック３も同じ距離上昇する。
【００３１】
その結果、ピニオン８及びこれと一体のハンドル軸１１が例えば１８０度回動し、図示しない錠箱内のラッチ制御部材がラッチを操作して施錠する。
【００３２】
これとは逆に、ハンドルを下げると、ラッチが解除され、引続いて引戸或いはアコーデオン扉を左右方向に動かしてこれを開くことが一操作でできる。
【実施例２】
【００３３】
図７はこの発明の他の実施例を示し、この実施例では操作機構そのものは前記した実施例１におけるものと同じであるが、ハンドル軸１１の先端をピニオン８の角穴に係合させる一方、このピニオンを間に挟んでその両側に夫々ラック３、３を配設し、各ラック３に図示しない係止ロッドを夫々連結してある。
【００３４】
このようにすれば、ハンドルを施錠方向に移動させたとき、錠箱内のラッチ機構を施錠すると共に、上記図示しない係止ロッドを夫々扉の上、下端縁から扉枠側に突出させ、扉を３ヵ所で固定することができる。
【図面の簡単な説明】
【００３５】
【図１】この発明の一実施例による操作機構の要部を示す一部断面側面図で、解錠状態を示す。
【図２】この発明の一実施例による操作機構の要部を示す一部断面平面図で、解錠状態を示す。
【図３】図１のＩＩＩ−ＩＩＩ線による断面図。
【図４】図１のＩＶ−ＩＶ線による断面図。
【図５】この発明の一実施例による操作機構の要部を示す図１と同様の一部断面側面図で、施錠状態を示す。
【図６】この発明の一実施例による操作機構の要部を示す図３と同様の断面図で、施錠状態を示す。
【図７】この発明の他の実施例を示すラックとピニオン機構を示す正面図。
【符号の説明】
【００３６】
１  ケース
２  框
３  ラック
４  ラック歯
５  スリット
６  仕切板
７  案内板
８  ピニオン
９    支持枠
１１  ハンドル軸
１２  ハンドル
１２ａ  握り部
１２ｂ  段部
１３  スライダ
１４  凹陥部
１５  ガイド孔
１６  スライダピン
１７  思案ばね
【図１】
2006144353.tif 000003
【図２】
2006144353.tif 000004
【図３】
2006144353.tif 000005
【図４】
2006144353.tif 000006
【図５】
2006144353.tif 000007
【図６】
2006144353.tif 000008
【図７】
2006144353.tif 000009